(57)【要約】【課題】消費電力の増加を抑制しつつ、定期的に表示を更新する必要があるコンテンツを表示することができるコンテンツ表示装置を提供する。【解決手段】コンテンツ表示装置１は、コンテンツの表示対象フレームを更新するためのフレーム更新ソフトウェアを搭載する。更新命令生成手段１１は、定期的に表示を更新する必要があるコンテンツの表示対象フレームの更新命令を定期的に生成する。フレーム更新手段１２は、更新命令生成手段１１が表示対象フレームの更新命令を生成したときに、フレーム更新ソフトウェアに従ってそのコンテンツの表示対象フレームを更新する。フレーム表示手段１３は、フレーム更新手段１２が更新した表示対象フレームを表示する。【選択図】図４
2009093016.tif 000002
【特許請求の範囲】
【請求項１】
コンテンツの表示対象フレームを更新するためのフレーム更新ソフトウェアを搭載したコンテンツ表示装置であって、
定期的に表示を更新する必要があるコンテンツの表示対象フレームの更新命令を定期的に生成する更新命令生成手段と、
更新命令生成手段が表示対象フレームの更新命令を生成したときに、フレーム更新ソフトウェアに従って前記コンテンツの表示対象フレームを更新するフレーム更新手段と、
フレーム更新手段が更新した表示対象フレームを表示するフレーム表示手段とを備えた
ことを特徴とするコンテンツ表示装置。
【請求項２】
コンテンツとともに記述されるスクリプトから当該コンテンツの再生開始タイミングの情報を抽出する再生開始タイミング抽出手段を備え、
更新命令生成手段は、コンテンツの再生開始タイミングとなったときに、コンテンツの表示対象フレームの更新命令を定期的に生成する処理を開始する
請求項１に記載のコンテンツ表示装置。
【請求項３】
再生開始タイミング抽出手段が抽出したコンテンツの再生開始タイミングの情報を更新命令生成手段に中継し、更新命令生成手段が生成した表示対象フレームの更新命令をフレーム更新手段に中継する中継手段を備えた
請求項２に記載のコンテンツ表示装置。
【請求項４】
フレーム更新ソフトウェアがＦｌａｓｈ  Ｐｌａｙｅｒである
請求項１から請求項３のうちのいずれか１項に記載のコンテンツ表示装置。
【請求項５】
定期的に表示を更新する必要があるコンテンツが、時刻を表示するための時計コンテンツであり、
フレーム更新手段は、時計コンテンツにおける時刻を表すフレームを更新する
請求項１から請求項４のうちのいずれか１項に記載のコンテンツ表示装置。
【請求項６】
コンテンツの表示対象フレームを更新するためのフレーム更新ソフトウェアを搭載したコンテンツ表示装置が、定期的に表示を更新する必要があるコンテンツを表示するコンテンツ表示方法であって、
定期的に表示を更新する必要があるコンテンツの表示対象フレームの更新命令を定期的に生成し、
表示対象フレームの更新命令を生成したときに、フレーム更新ソフトウェアに従って前記コンテンツの表示対象フレームを更新し、
更新した表示対象フレームを表示する
ことを特徴とするコンテンツ表示方法。
【請求項７】
コンテンツとともに記述されるスクリプトから当該コンテンツの再生開始タイミングの情報を抽出し、
コンテンツの再生開始タイミングとなったときに、コンテンツの表示対象フレームの更新命令を定期的に生成する処理を開始する
請求項６に記載のコンテンツ表示方法。
【請求項８】
コンテンツの表示対象フレームを更新するためのフレーム更新ソフトウェアを搭載したコンピュータに搭載されるフレーム更新要求プログラムであって、
コンピュータに、
定期的に表示を更新する必要があるコンテンツの表示対象フレームの更新命令を定期的に生成する更新命令生成処理、および
表示対象フレームの更新命令に応じて、コンピュータがフレーム更新ソフトウェアに従って前記コンテンツの表示対象フレームを更新したときに、更新された表示対象フレームを表示するフレーム表示処理
を実行させるためのフレーム更新要求プログラム。
【請求項９】
コンピュータは、コンテンツとともに記述されるスクリプトから当該コンテンツの再生開始タイミングの情報を抽出するコンピュータであり、
前記コンピュータに、
コンテンツの再生開始タイミングとなったときに更新命令生成処理を開始させる
請求項８に記載のフレーム更新要求プログラム。
【請求項１０】
コンテンツの表示対象フレームを更新するためのフレーム更新ソフトウェアに従ってコンテンツの表示対象フレームを更新するフレーム更新手段と、定期的に表示を更新する必要があるコンテンツの表示対象フレームの更新命令を定期的に生成する更新命令生成手段と、コンテンツとともに記述されるスクリプトから当該コンテンツの再生開始タイミングの情報を抽出する再生開始タイミング抽出手段とを備えたコンピュータに搭載される中継プログラムであって、
コンピュータに、
再生開始タイミング抽出手段が抽出したコンテンツの再生開始タイミングの情報を更新命令生成手段に中継する再生開始タイミング中継処理、および
更新命令生成手段が生成した表示対象フレームの更新命令をフレーム更新手段に中継する更新命令中継処理
を実行させるための中継プログラム。
【発明の詳細な説明】
【技術分野】
【０００１】
本発明は、コンテンツ表示装置、コンテンツ表示方法、フレーム更新要求プログラムおよび中継プログラムに関し、特に、コンテンツの表示対象フレームを更新するためのフレーム更新ソフトウェアを搭載したコンテンツ表示装置、およびそのコンテンツ表示装置に適用されるコンテンツ表示方法、フレーム更新要求プログラム、中継プログラムに関する。
【背景技術】
【０００２】
携帯電話機やデジタルカメラといった組み込み機器のＧＵＩ（Graphic User Interface）が多様化するのに伴い、Ｗｅｂブラウザ向けに発展してきたＦｌａｓｈコンテンツを表示する組み込み機器も増えてきた。Ｆｌａｓｈコンテンツとは、アドビシステムズ社のＦｌａｓｈ  Ｐｌａｙｅｒによって再生されるコンテンツであり、Ｆｌａｓｈ  Ｐｌａｙｅｒは、コンテンツを表示させるためのプログラムである。
【０００３】
携帯電話機やデジタルカメラ等のコンシューマ向けの組み込み機器市場では、ＧＵＩも含めたデザインが、他の製品との差別化を図るための重要な要素となっている。このため、組み込み機器のＧＵＩも多様化する傾向にある。例えば、Ｆｌａｓｈコンテンツで時計を表示させる場合がある。
【０００４】
また、特許文献１には、動画を非表示とした間も動画データを更新することができる動画表示装置が記載されている。特許文献１に記載の動画表示装置は、画像データ転送器と、表示部に表示されている動画のフレーム番号を保持するフレーム番号レジスタと、動画フレームのフレーム番号と画像バッファ中のフレーム画像のアドレスを保持する変換テーブルメモリと、画像データを受信する受信部と、受信された画像を１フレーム毎に画像バッファメモリ書き込む更新部等を備える。表示開始信号がオフであるとき、フレーム番号レジスタは最後に表示した画像のフレーム番号を保持しており、さらに画像データ転送器によってタイマから表示時刻レジスタに現在時刻が更新される。表示開始信号がオンになると、画像データ転送器はタイマから現在時刻を取り出し、表示時刻レジスタの内容を減ずる。この結果をフレーム番号レジスタの内容に加えた新しいフレーム番号を、変換テーブルメモリにより画像アドレスに変換する。そして、画像バッファメモリより、そのアドレスで指定されたフレーム画像を読み込み、画像表示部に送る。
【０００５】
【特許文献１】特開平６−２１４５４８号公報（段落００１８，００１９、図４）
【発明の開示】
【発明が解決しようとする課題】
【０００６】
Ｆｌａｓｈ  Ｐｌａｙｅｒはコンテンツの表示対象フレームを更新する。そして、その更新された表示対象フレームの画像が表示される。時計をＦｌａｓｈコンテンツとして表示する場合、時計を表示するＦｌａｓｈコンテンツをＦｌａｓｈ  Ｐｌａｙｅｒで再生し続けることにより、予め用意されたインタフェースを通じて各フレームの画像を現在時刻として取得し、そのフレームを表示していた。このため、正しい時刻を表示し続けようとする場合、常にＦｌａｓｈ  Ｐｌａｙｅｒにより表示対象フレームの更新を行うことになる。
【０００７】
しかし、コンテンツの表示対象フレームを更新するためのフレーム更新ソフトウェアによって、常時、表示対象フレームの更新を行うとすると、消費電力が増加する。組み込み機器は電源容量が限られているため、このような消費電力の増加を抑制することが好ましい。
【０００８】
また、消費電力を抑制するために、Ｆｌａｓｈコンテンツの再生時間が、定められた時間を超えると、自動的にそのコンテンツの再生を停止する組み込み装置もある。しかし、そのような組み込み装置では、時計を表示するＦｌａｓｈコンテンツの再生時間が、定められた時間を超え、コンテンツの再生を停止した場合、正しい時刻が表示されなくなってしまう。
【０００９】
また、ここでは、時計を表示するコンテンツを例にして説明したが、定期的に表示を更新する必要があるコンテンツをフレーム更新ソフトウェアで再生する場合にも、消費電力の増加という問題が生じる。
【００１０】
そこで、本発明は、消費電力の増加を抑制しつつ、定期的に表示を更新する必要があるコンテンツを表示することができるコンテンツ表示装置、およびそのコンテンツ表示装置に適用されるコンテンツ表示方法、フレーム更新要求プログラム、中継プログラムを提供することを目的とする。
【課題を解決するための手段】
【００１１】
本発明のコンテンツ表示装置は、コンテンツの表示対象フレームを更新するためのフレーム更新ソフトウェアを搭載したコンテンツ表示装置であって、定期的に表示を更新する必要があるコンテンツの表示対象フレームの更新命令を定期的に生成する更新命令生成手段と、更新命令生成手段が表示対象フレームの更新命令を生成したときに、フレーム更新ソフトウェアに従って前記コンテンツの表示対象フレームを更新するフレーム更新手段と、フレーム更新手段が更新した表示対象フレームを表示するフレーム表示手段とを備えたことを特徴とする。
【００１２】
また、本発明のコンテンツ表示方法は、コンテンツの表示対象フレームを更新するためのフレーム更新ソフトウェアを搭載したコンテンツ表示装置が、定期的に表示を更新する必要があるコンテンツを表示するコンテンツ表示方法であって、定期的に表示を更新する必要があるコンテンツの表示対象フレームの更新命令を定期的に生成し、表示対象フレームの更新命令を生成したときに、フレーム更新ソフトウェアに従って前記コンテンツの表示対象フレームを更新し、更新した表示対象フレームを表示することを特徴とする。
【００１３】
また、本発明のフレーム更新要求プログラムは、コンテンツの表示対象フレームを更新するためのフレーム更新ソフトウェアを搭載したコンピュータに搭載されるフレーム更新要求プログラムであって、コンピュータに、定期的に表示を更新する必要があるコンテンツの表示対象フレームの更新命令を定期的に生成する更新命令生成処理、および、表示対象フレームの更新命令に応じて、コンピュータがフレーム更新ソフトウェアに従って前記コンテンツの表示対象フレームを更新したときに、更新された表示対象フレームを表示するフレーム表示処理を実行させることを特徴とする。
【００１４】
また、本発明の中継プログラムは、コンテンツの表示対象フレームを更新するためのフレーム更新ソフトウェアに従ってコンテンツの表示対象フレームを更新するフレーム更新手段と、定期的に表示を更新する必要があるコンテンツの表示対象フレームの更新命令を定期的に生成する更新命令生成手段と、コンテンツとともに記述されるスクリプトから当該コンテンツの再生開始タイミングの情報を抽出する再生開始タイミング抽出手段とを備えたコンピュータに搭載される中継プログラムであって、コンピュータに、再生開始タイミング抽出手段が抽出したコンテンツの再生開始タイミングの情報を更新命令生成手段に中継する再生開始タイミング中継処理、および、更新命令生成手段が生成した表示対象フレームの更新命令をフレーム更新手段に中継する更新命令中継処理を実行させることを特徴とする。
【発明の効果】
【００１５】
本発明によれば、消費電力の増加を抑制しつつ、定期的に表示を更新する必要があるコンテンツを表示することができる。
【発明を実施するための最良の形態】
【００１６】
以下、本発明の実施形態を図面を参照して説明する。
図１は、本発明のコンテンツ表示装置の構成例を示すブロック図である。コンテンツ表示装置１は、ＣＰＵ２と、記憶部３と、表示部４と、タイマ８とを備える。
【００１７】
記憶部３は、プログラムを記憶する記憶装置である。記憶部３は、フレーム更新ソフトウェア７と、フレーム更新要求プログラム５と、中継プログラム６とを記憶する。
【００１８】
ＣＰＵ２は、記憶部３が記憶しているプログラム（すなわち、フレーム更新ソフトウェア７、フレーム更新要求プログラム５および中継プログラム６）に従って動作する。
【００１９】
表示部４は、例えば、ＬＣＤ（Liquid Crystal Display）等の表示デバイスである。
【００２０】
フレーム更新ソフトウェア７は、ＣＰＵ２に、コンテンツの表示対象フレームを更新する処理を行わせるプログラムである。Ｆｌａｓｈ  Ｐｌａｙｅｒはフレーム更新ソフトウェア７に該当し、記憶部３は、フレーム更新ソフトウェア７としてＦｌａｓｈ  Ｐｌａｙｅｒを記憶していてもよい。
【００２１】
ＣＰＵ２は、フレーム更新ソフトウェア７に従ってコンテンツの表示対象フレームを更新する。また、ＣＰＵ２は、フレーム更新ソフトウェア７に従って、コンテンツとともに記述されるスクリプトから、そのコンテンツの再生開始タイミングを定めた情報（以下、再生開始タイミング情報と記す。）を抽出する。
【００２２】
フレーム更新要求プログラム５は、ＣＰＵ２に、定期的に表示を更新する必要があるコンテンツ（例えばＦｌａｓｈコンテンツ）の表示対象フレームの更新命令を一定時間毎に生成させるためのプログラムである。また、フレーム更新要求プログラム５は、更新された表示対象フレームを表示する処理をＣＰＵ２に実行させるプログラムでもある。フレーム更新要求プログラム５の例として、例えば、Ｆｌａｓｈコンテンツを待ち受け画像として表示するための表示アプリケーション等が挙げられる。また、フレーム更新要求プログラム５は、待ち受け画像用の表示アプリケーションに限定されず、Ｆｌａｓｈコンテンツを表示するＷｅｂブラウザであってもよい。
【００２３】
中継プログラム６は、フレーム更新ソフトウェア７とフレーム更新要求プログラム５との間で、命令や情報を中継するためのプログラムである。例えば、中継プログラム６は、ＣＰＵ２がフレーム更新要求プログラム５に従って表示対象フレームの更新命令を生成したときに、フレーム更新ソフトウェア７にその更新命令を渡すために用いられる。また、ＣＰＵ２がフレーム更新ソフトウェア７に従って再生開始タイミング情報を抽出した場合、フレーム更新要求プログラム５にその再生開始タイミング情報を渡すために用いられる。
【００２４】
タイマ８は、時間を計測する。ＣＰＵ２は、表示対象フレームの更新命令を一定時間毎に生成する場合、タイマ８によって、その一定時間の計測を開始する。そして、ＣＰＵ２は、その一定時間が経過したときに、表示対象フレームの更新命令を生成し、再度、一定時間の計測を開始する。この動作を繰り返すことにより、ＣＰＵ２は、表示対象フレームの更新命令を定期的に生成する。
【００２５】
また、コンテンツ表示装置１によって表示されるコンテンツ（定期的に表示を更新する必要があるコンテンツ）において、各フレームは、１つ前のフレームから一定時間後の画像を表す。図２は、本発明によって表示されるコンテンツにおける連続するフレームの例を示す説明図である。図２に示すフレーム３１，３２は連続するフレームであり、それぞれ時計の時刻表示の画像である。そして、フレーム３２は、フレーム３１が表す時刻「１２時０分」の１分後の時刻表示の画像である。本例のように各フレームが１分毎の画像を表している場合、ＣＰＵ２は、表示対象フレームの更新命令を１分毎に生成する。このように、コンテンツのフレームの画像における時間差と、表示対象フレームの更新命令を生成する時間間隔を合わせる。ここでは、フレームの画像における時間差が１分である場合を例示したが、この時間差は１分に限定されない。例えば、各フレームが時刻を秒まで表示する時刻表示の画像であり、さらに、１つ前のフレームの１秒後の時刻表示の画像となっていてもよい。この場合、ＣＰＵ２は、表示対象フレームの更新命令を１秒毎に生成する。
【００２６】
本発明のコンテンツ表示装置１は、例えば携帯電話機として実現されるが、携帯電話機に限定されるわけではない。コンテンツ表示装置１は、定期的に表示を更新する必要があるコンテンツを表示する装置であれば特に限定されない。例えば、コンテンツ表示装置１は、そのようなコンテンツを表示するデジタルカメラ等であってもよい。
【００２７】
また、既に説明したように、コンテンツの表示は、ＣＰＵ２がＷｅｂブラウザに従って行ってもよい。
【００２８】
次に、動作について説明する。
以下の説明では、記憶部３がフレーム更新ソフトウェア７としてＦｌａｓｈ  Ｐｌａｙｅｒを記憶していて、コンテンツ表示装置１がＦｌａｓｈコンテンツを表示する場合を例にして説明する。また、Ｆｌａｓｈコンテンツが、時刻（時計の時刻表示画像）を表示するための時計コンテンツである場合を例にして説明する。また、コンテンツとともに、コンテンツの表示を指示するスクリプトが記述されている。そのスクリプトには、再生開始タイミング情報が含まれている。
【００２９】
図３は、本発明のコンテンツ表示装置１の処理経過の例を示す説明図である。図３では、プログラムに従うＣＰＵ２（図１参照）の動作を、フレーム更新要求プログラム５、中継プログラム６およびフレーム更新ソフトウェア７毎にそれぞれ示している。
【００３０】
以下の説明において、フレーム更新要求プログラム５に従って表示対象フレームの更新命令を一定時間毎に生成するＣＰＵ２を更新命令生成手段と記すことがある。また、フレーム更新ソフトウェア７に従って動作するＣＰＵ２をフレーム更新手段と記すことがある。
【００３１】
ＣＰＵ２は、フレーム更新ソフトウェア（Ｆｌａｓｈ  Ｐｌａｙｅｒ）７に従って、コンテンツとともに記述されるスクリプトから再生開始タイミング情報を抽出する（ステップＳ１）。
【００３２】
また、ＣＰＵ２は、中継プログラム６に従って、その再生開始タイミング情報をフレーム更新要求プログラム５に渡す（ステップＳ２）。換言すれば、ＣＰＵ２は中継プログラム６に従い、再生開始タイミング情報を更新命令生成手段に中継する。
【００３３】
ＣＰＵ２は、ステップＳ２で渡された再生開始タイミング情報が定めたコンテンツの再生開始タイミングになったときに、フレーム更新要求プログラム５に従って、一定時間毎に表示対象フレームの更新命令を生成する処理を開始する。すなわち、以下に示すステップＳ３以降の動作を繰り返す処理を開始する。
【００３４】
ＣＰＵ２は、タイマ８によって所定時間の計測を開始する（ステップＳ３）。ＣＰＵ２は、その所定時間が経過したときに表示対象フレームの更新命令を生成する（ステップＳ４）。ステップＳ４の後、ＣＰＵ２は、ステップＳ３に移行して、再び所定時間の計測を開始し、所定期間の経過時に表示対象フレームの更新命令を生成する（ステップＳ３，Ｓ４）。ＣＰＵ２は、このようにステップＳ３，Ｓ４の処理を繰り返す。
【００３５】
表示対象フレームの更新命令が生成されると、ＣＰＵ２は、中継プログラム６に従って、その表示対象フレームの更新命令をフレーム更新ソフトウェア７に渡す（ステップＳ５）。換言すれば、ＣＰＵ２は中継プログラム６に従い、表示対象フレームの更新命令をフレーム更新手段に中継する。
【００３６】
次に、ＣＰＵ２は、フレーム更新ソフトウェア７に従って、コンテンツの表示対象フレームを更新する（ステップＳ６）。すなわち、ＣＰＵ２は、表示対象フレームとするフレームを、次のフレームに切り替える。最初にステップＳ６に移行したときには、ＣＰＵ２は、最初に表示対象フレームとするフレームを選択する。本例では、表示するコンテンツは時計コンテンツであるので、ステップＳ６に移行する毎に、表示時刻を表す各フレームが表示対象フレームとして順次選択される。
【００３７】
また、ステップＳ６において表示対象フレームが更新されると、ＣＰＵ２は、フレーム更新要求プログラム５に従って、表示対象フレームの画像を表示部４に表示させる。
【００３８】
コンテンツの再生開始タイミングになった時点以降、コンテンツ表示装置１は上記のステップＳ３以降の処理を繰り返す。この結果、時間の経過とともに、時刻表示が一定時間毎に更新される。
【００３９】
以下、具体例を示す。ＣＰＵ２が所定時間（１分とする。）の計測を開始し、１分経過したときに表示対象フレームの更新命令を生成し（ステップＳ３，Ｓ４）、その命令がフレーム更新ソフトウェア７に渡されて、ＣＰＵ２が図２に例示するフレーム３１を表示対象フレームとしたとする。すると、ＣＰＵ２は、その表示対象フレームが表す「１２：００」という時刻の画像を表示部４に表示させる。
【００４０】
また、ＣＰＵ２は、ステップＳ４の後、ステップＳ３に移行して、ステップＳ３以降の処理を繰り返す。よって、再び１分の計測を開始し、１分経過したときに表示対象フレームの更新命令を生成する。この命令がフレーム更新ソフトウェア７に渡されると、ＣＰＵ２は、次のフレーム（図２に例示するフレーム３２）を表示対象フレームとする。すると、ＣＰＵ２は、その表示対象フレームが表す「１２：０１」という時刻の画像を表示部４に表示させる。
【００４１】
このように、定期的に表示対象フレームの更新命令を生成することによって、表示対象フレームが定期的に更新され、表示画像が切り替えられる。よって、正しい時刻を継続的に表示させていくことができる。
【００４２】
また、本発明では、ＣＰＵ２は、フレーム更新要求プログラム５に従って、表示対象フレームの更新命令を一定時間間隔でしか生成しない。よって、フレーム更新ソフトウェア７による表示対象フレームの更新が常時継続するということはなく、コンテンツ表示装置１の消費電力の増加を防止することができる。
【００４３】
以上の説明では、フレーム更新ソフトウェア７がＦｌａｓｈ  Ｐｌａｙｅｒである場合を例に説明したが、フレーム更新ソフトウェア７がＦｌａｓｈ  Ｐｌａｙｅｒ以外であってもよく、コンテンツはＦｌａｓｈコンテンツ以外のコンテンツであってもよい。
【００４４】
また、上記の説明では、コンテンツが時刻を表示するための時計コンテンツである場合を例にしているが、コンテンツは時計コンテンツに限らず、定期的に表示を更新する必要のあるコンテンツであればよい。この場合であっても、時間の経過に応じた正しい画像を表示することができる。
【００４５】
次に、本発明の概要について説明する。図４は、本発明の概要を示す説明図である。本発明のコンテンツ表示装置１は、コンテンツの表示対象フレームを更新するためのフレーム更新ソフトウェアを搭載している。そして、コンテンツ表示装置１は、更新命令生成手段１１と、フレーム更新手段１２と、フレーム表示手段１３とを備える。
【００４６】
更新命令生成手段１１は、定期的に表示を更新する必要があるコンテンツの表示対象フレームの更新命令を定期的に生成する。
【００４７】
フレーム更新手段１２は、更新命令生成手段１１が表示対象フレームの更新命令を生成したときに、フレーム更新ソフトウェアに従ってそのコンテンツの表示対象フレームを更新する。
【００４８】
また、フレーム表示手段１３は、フレーム更新手段１２が更新した表示対象フレームを表示する。
【００４９】
このような構成によれば、表示対象フレームの更新命令を定期的にしか生成しない。よって、フレーム更新手段１２による表示対象フレームの更新が常時継続することはなく、消費電力の増加を防止することができる。
【００５０】
また、定期的に生成される表示対象フレームの更新命令に応じて表示対象フレームが更新され、その表示対象フレームが表示される。よって、定期的に表示を更新する必要があるコンテンツを適切に表示することができる。
【００５１】
また、上記の実施形態では、コンテンツとともに記述されるスクリプトからそのコンテンツの再生開始タイミングの情報を抽出する再生開始タイミング抽出手段を備え、更新命令生成手段が、コンテンツの再生開始タイミングとなったときに、コンテンツの表示対象フレームの更新命令を定期的に生成する処理を開始する構成が開示されている。
【００５２】
また、上記の実施形態では、再生開始タイミング抽出手段が抽出したコンテンツの再生開始タイミングの情報を更新命令生成手段に中継し、更新命令生成手段が生成した表示対象フレームの更新命令をフレーム更新手段に中継する中継手段を備えた構成が開示されている。
【００５３】
また、上記の実施形態では、フレーム更新ソフトウェアがＦｌａｓｈ  Ｐｌａｙｅｒである場合が開示されている。
【００５４】
また、上記の実施形態では、定期的に表示を更新する必要があるコンテンツが、時刻を表示するための時計コンテンツであり、フレーム更新手段が、時計コンテンツにおける時刻を表すフレームを更新する場合が開示されている。
【産業上の利用可能性】
【００５５】
本発明は、定期的に表示を更新する必要があるコンテンツを表示するコンテンツ表示装置に好適に適用される。
【図面の簡単な説明】
【００５６】
【図１】本発明のコンテンツ表示装置の構成例を示すブロック図である。
【図２】連続するフレームの例を示す説明図である。
【図３】本発明のコンテンツ表示装置の処理経過の例を示す説明図である。
【図４】本発明の概要を示す説明図である。
【符号の説明】
【００５７】
１  コンテンツ表示装置
２  ＣＰＵ
３  記憶部
４  表示部
５  フレーム更新要求プログラム
６  中継プログラム
７  フレーム更新ソフトウェア
８  タイマ
１１  更新命令生成手段
１２  フレーム更新手段
１３  フレーム表示手段
【図１】
2009093016.tif 000003
【図２】
2009093016.tif 000004
【図３】
2009093016.tif 000005
【図４】
2009093016.tif 000006